(57)【特許請求の範囲】
【請求項１】
潤滑剤を塗布したコンドームであって、
該潤滑剤は水性ゲル内に乳化物を保持するものであり、
該乳化物は、シリコーンオイルと、界面活性剤とにより構成されるものであって、シリコーンオイルが０．３〜１５質量％であり、界面活性剤が０．０１〜１５質量％であり、
当該界面活性剤がメンフェゴールもしくはノノキシノールのうち、いずれか一種または二種であり、
前記水性ゲルが、ゼラチンにより構成されるものであって、
該ゼラチンが０．２〜１２質量％である
ことを特徴とする潤滑剤を塗布したコンドーム。
【発明の詳細な説明】
【０００１】
【発明の属する技術分野】
本発明は、人体の皮膚を保護するための潤滑剤を付与したコンドームに関するものである。
【０００２】
【従来の技術】
現在、コンドームの潤滑剤として用いられているものの主流はシリコーンオイルであり、これをコンドームに塗布し付着させている。しかしながらシリコーンオイルは油性であるために、身体に付着した際には、洗剤などにより洗い落とす必要がある。
【０００３】
その解決方法として、特開平７−２６７８４９号公報に記載のコンドーム用潤滑剤がある。この技術は、潤滑剤にスクワランを配合するというものである。
しかしながら、このスクワラン配合のコンドーム用潤滑剤は、コンドームの巻き上げ部への浸入性の不足よりゴム膜同士が粘着する可能性がある。
また、スクワラン配合のコンドーム用潤滑剤は、粘度を高くしていくと溶液のぬめり感を増すことはできる。ただし、それに伴って糸ひき現象が発生する。
このほかに、殺精子剤として、アルキルベンゼンスルホン酸塩等の界面活性剤が使用されている。これらは、性行為前において人体の陰部に、塗布あるいは注入されるものである。
【０００４】
【発明が解決しようとする課題】
本発明は、このような状況においてなされたもので、身体に付着しても簡単に水で洗い落とすことができ、巻き上げ部への浸入性および使用時のぬめり性に優れているとともに、コンドームを使用することによる違和感をより一層低減して自然な感じを抱かせるようにする、しっとり感を付与する湿潤性に優れたコンドーム用潤滑剤、およびこのコンドーム用潤滑剤を塗布したコンドームを提供することを目的としている。
また、従来の技術においては、油性もしくは水性のみの潤滑剤が使用されており、使用できる添加剤が限定され、コンドームの白化防止と塗布時およびコンドーム装着時のぬめり性を兼ね備えた潤滑剤を構成することが困難である。
さらに、殺精子剤を性行為前に、塗布あるいは注入する場合、殺精子剤が精子以外のもの（皮膚等）に吸着し、有効に作用するものが減少し、殺精子効果が減少する可能性がある。しかし、殺精子剤である界面剤等の量を増した場合には、皮膚に対して、肌荒れなどの影響を考慮する必要がある。
【０００５】
【課題を解決するための手段】
本発明は、上記の課題を解決すべく、発明者らが行った研究および、数多くの実験に基づき、次のような手段を提示するものである。
殺精子剤、殺菌剤を含む溶液をゲル中に分散させた潤滑剤を構成し、コンドームに塗布するものである。
上記の溶液を分散させるゲルとしては、体温により溶融するもの、機械的な力により崩れるものを用いることにより、ゲル内に分散された溶液を作用させることができるものである。
ゲルを構成する高分子物質は、低分子物質のごとく鋭い融点を示さず、一定の温度範囲にわたって融解するものである。また、温度により粘性が変化するものであり、この性質を利用して、薬剤の作用する時期を調節することができるものである。
【０００６】
高分子物質に増粘された溶液中に、殺精子剤等の薬剤を含む溶液を分散させた潤滑剤を例にとり説明する。
潤滑剤を人体に使用した場合、潤滑剤の高分子溶液が人体に接触し、室温から体温付近にまで暖められる。これにより、高分子溶液の物性が変化し、高分子溶液の粘度が低下する。すなわち、粘性の高い液体から流れ易い液体に、ゴム状から液状に変化するものである。
【０００７】
この高分子溶液の物性の変化により、高分子溶液中に分散されていた、薬剤を含む溶液が高分子溶液の外に放出されたり、高分子溶液と混じり易くなるものである。このため、薬剤が潤滑剤に接触した人体表面に作用するものである。
高分子溶液としては、体温付近において溶解もしくは粘性が低下し、流動しやすくなるものを用いることが可能である。高分子溶液を構成する高分子としては、単一の高分子物質を用いることも可能であるが、数種の高分子物質を混合し、一定の温度範囲において溶解もしくは粘度の低下がおきるものを用いることが可能である。
【０００８】
機械的な力により崩れるゲル中に薬剤を含む溶液を分散させる場合について説明する。
機械力により崩れるゲルの例としては、寒天等を用いることができる。
寒天のゲルは、力を加えることにより、容易に崩壊するものである。このようなゲル中に薬剤を含む溶液を分散させることにより、使用時にゲルを崩壊させ、薬剤をゲル外に放出し、該薬剤を作用させることができるものである。
すなわち、人体に用いる場合には、皮膚にこすりつけることにより、ゲル中の薬剤がゲル外に出て、皮膚に作用するものである。
【０００９】
次に、ゲル中に分散させるものとしては、油と、水と、界面活性剤とを混合乳化させたものを用いることが可能である。なお、油、水および界面活性剤の割合は、用途および使用状況に応じて適宜調節することが可能であり、必要に応じて混合比率を調節するものである。
上記乳化物をゲル中において保持することにより、乳化物の性状を維持し易く、乳化物が仮に分離した場合においても、流動性の低いゲルにより、乳化物を構成していた水と油がゲル外に流出するのを防ぐことができる。
【００１０】
そして、上記乳化物は、ミセル形成された状態となっているので、油分子間の相互作用がミセルにより阻害され、粘度の高い油を使用する際においても、乳化により潤滑剤としての粘度を低くすることができ、潤滑剤の伸びがよくなるものである。これにより、使用する油の選択範囲を拡張することが可能である。
さらに、この乳化物は水を含有するため、水溶性の成分を含ませることができる。水溶性の成分はミセルにより油と隔離されるため、容易に潤滑剤に混合することができ、安定した性状を得ることができるものである。
また、ゲル中に含まれる、乳化物が油、界面活性剤および水により構成されるものであるので、容易に水洗いすることができる。そして、タオルやティッシュによりふき取ることによっても、油ぎった感触を残すことなく取り去ることができるものである。
【００１１】
乳化物をゲル内に分散させたものを潤滑剤として、コンドームに使用することにより、コンドーム内への空気の混入を防止できるとともに、コンドームの性状維持および避妊効果を向上でき、コンドーム挿入時における女性陰部に対する保護を行うことができるものである。
乳化物をゲル内に分散させた潤滑剤をコンドームのコンドーム精液ため嚢部内側に塗布することにより、潤滑剤により精子を精液溜めにおいて死滅させることが可能である。
特に、乳化物中に殺精子剤を含ませ、ゲルを陰茎へのコンドームの装着により、溶融もしくは崩壊するべく構成することにより、射精時もしくはコンドームの装着時まで、有効な殺精子成分を保持することが可能であり、潤滑剤の殺精子効果を向上できるものである。
【００１２】
乳化物をゲル内に分散させた潤滑剤を、コンドームの先端部に塗布することにより、コンドームを装着した陰茎を女性性器に挿入する際に、女性陰部の皮膚を保護することが可能である。潤滑剤が皮膚に接触することにより、ゲルが崩壊もしくは溶解し、ゲル内部の乳化物が広がり、皮膚を保護するものである。
特に、コンドームが女性用コンドームである場合には、該コンドームの挿入を円滑にするとともに、皮膚を保護するものである。
乳化物をゲル内に分散させた潤滑剤を、コンドームの後部に塗布する場合にはコンドーム全体に潤滑剤を付着させることができる。コンドームの成形後に該コンドームの後部に潤滑剤を塗布もしくは付着させ、コンドームの巻き上げを行うと、コンドーム後部に付着した潤滑剤が先端側に押し出され、コンドーム全体に行き渡るものである。さらに、仮に、コンドーム後部より精子が漏れる可能性があっても精子を死滅させることが可能である。
【００１３】
【発明の実施の形態】
本発明者は数多くの実験を重ねた結果、皮膚に油っこさを与えず、しっとり感を与えるとともに、コンドームなどに使用されるゴムを白化させない潤滑剤を得たものである。
ゴムの粘着および白化を防止する油と、皮膚にしっとり感を与える水とをまぜた乳化物を、ゲル中に分散させ、潤滑剤を得るものである。
図１は、ゲルより乳化物の流出する構成を示す模式図である。
図１に示すごとく、加熱もしくは機械的な力により、ゲルを溶融、流動化もしくは崩壊させ、ゲル内部に分散された乳化物を作用させるものである。
ゲル１１が温度上昇により、流動化し、乳化物１２を保持できなくなる際には、図１（ａ）に示すごとく、乳化物１２がゲル１１の外に流出するものである。これにより、ゲル１１により保持されていた乳化物１２を作用させることが可能となるものである。
ゲル１３が機械力（力学的力）により崩壊し易いものである場合には、図１（ｂ）に示すごとく、ゲル１３が崩壊し、ゲル１３内部に保持されている乳化物１２がゲル１３の外に流出し、乳化物１２が作用するものである。
【００１４】
潤滑剤は、油が０．３〜１５重量部、界面活性剤が０．０１〜１５重量部、ゲルを構成する高分子物質（ゲル化剤）が０．２〜１２重量部であり、これに適量の水により構成されるのであり、少量の保存料等が添加されるものである。
【００１５】
潤滑剤に使用する油は、使用される状況に応じて、シリコーンオイルを用いることができる。
【００１６】
コンドームに付与する潤滑剤に用いる油成分としては、シリコーンオイルを用いることができる。
潤滑油の油成分としてシリコーンオイルを用いたものは、ゴムに対する性状が安定しており、コンドームの接着を防止し、コンドームの性状を長期にわたり維持することが可能である。シリコーン油としては、医療用の注射針および注射筒等の潤滑剤等、従来のコンドームの潤滑に用いられているものを使用することにより、生体への安全性を確保できる。また、ロジンを添加することにより、潤滑剤の粘度調整を行うことも可能である。
【００１７】
油に水および界面活性剤を配合して乳化させることにより、潤滑剤自体の性状として粘性が少なく、さらさら感を与えるものである。しかも、コンドームを装着した際には良好なフィット感を得られるものである。
この乳化物は、界面活性剤を含むとともに水分も多量に含むため、水に溶ける速度が速く、水により容易に洗い流すことができる。さらに、皮膚に接触する際には、接触面のすべてが油で覆われるわけではなく、一部に水分が付着するため、接触した際に違和感がなく、べたつきを抑える。
【００１８】
乳化物は上記のごとく、親水性である皮膚に接触した際には、ミセルが壊れ、水分が皮膚に付着するが、疎水性であるゴムなどに接触した際にはミセルが壊れることなく、水分がゴムに接触することがない。これにより、ゴムの白化現象を防止できるものである。
シリコーンオイルに水および界面活性剤を配合して乳化物を構成することにより、乳化物自体の性状として粘り気が少なく、さらさら感を与えるものである。
この乳化物をコンドームに使用することにより、コンドームの装着をスムーズに行うことが可能であり、装着後にはフィット感を得られるものである。
さらに、この乳化物はゴムとの親和性があり浸透性に優れるため、巻き上げられた状態のコンドームへの浸入性に優れ、コンドームを白化させない。コンドームにしっとり感を付与するとともに、コンドームにぬめり性を付与する。
【００１９】
乳化物および乳化物をゲル中に分散させた潤滑剤の他の用法としては、性交時に使用するローションとしても用いることができ、性器挿入の際の潤滑に用いることができる。ゴム製品に対して安定であるため、ウエットスーツの装着時に用いる潤滑剤として、ゴムのシーリングを有する機器の潤滑剤としても用いることができる。
さらに、胎児のエコー撮影のために母体の腹部に塗布する潤滑剤として、胃カメラを人体に挿入する際の潤滑剤として、髭剃り用の潤滑剤として使用することができる。
【００２０】
次に、乳化物に使用する界面活性剤としては、メンフェゴール、ノノキシノールのうち、いずれか一種または二種以上を用いることができる。
界面活性剤は、乳化剤として用いられるので、使用する油に応じて選択されるものである。また、界面活性剤の含有量を調節することにより、油の湿潤浸透性を向上することも可能である。
【００２１】
コンドームの潤滑に用いる場合には、メンフェゴールやノノキシノールを用いることができる。メンフェゴールおよびノノキシノールには殺精子効果があり、避妊率を向上することができるためである。特にメンフェゴールを使用することにより、膣内へ影響を最小限にとどめることができる。
また、メンフェゴールやノノキシノールを使用した乳化物、もしくは該乳化物を分散したゲルにより構成される潤滑剤は、生殖を目的としない性交時のローションとして用いることもできる。
乳化物、潤滑剤には、殺精子剤もしくは殺菌剤を添加することができる。殺菌剤の多くは界面活性作用を示すものであり、界面活性剤として潤滑剤に添加されながら、殺精子剤もしくは殺菌剤としての効力を発揮させることも可能である。
このため、カテキン、セチル硫酸ナトリウム、ウンデシレン酸（ウンデシレン酸塩）、ウンデシレン酸モノエタノールアミド、塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ベンザルコニウム、塩化ベンゼトニウム、塩化ラウリルトリメチルアンモニウム、塩酸アルキルジアミノエチルグリシン、塩酸クロルヘキシジン、オルトフェニルフェノール、グルコン酸クロルヘキシジン、クレゾール、クロラミンＴ、クロルキシレノール、クロルクレゾール、クロルフェネシン、サリチル酸（サリチル酸塩）、臭化アルキルイソキノリニウム、臭化セチルトリメチルアンモニウム、臭化ドミフェン、チモール、チラム、デヒドロ酢酸（デヒドロ酢酸塩）、トリクロサン、トリクロロカルバニリド、パラクロロフェノール、ハロカルバン、フェノール、ラウロイルサルコシンナトリウム、レゾルシン、ドデカエチレングリコールモノラウレート、ラウレス、メトキシプロピルオキシエチレングリコールラウレートのうちの一種もしくは二種以上を殺菌もしくは殺精子剤として添加することができる。この場合、殺菌殺精子剤が潤滑剤における界面活性成分を兼ねることも可能である。
【００２２】
乳化物もしくはゲルに含有される水中に、湿化剤、保湿剤、ゲル化剤、中和剤、香料、着色剤のような種々の任意成分を添加することができる。
本発明の乳化剤もしくは潤滑剤には、保湿剤を含有することができる。ここで用いられる適当な保湿剤は、ソルビトール、ポリエチレングリコール、ブチレングリコール、ヘキシレングリコール、エトキシ化グルコース誘導体、ヘキサントリオール、グリセリン、水溶性ポリグリセリルメタクリレート潤滑剤およびパンテノールなどである。
また、乳化物は白色を呈しており、着色剤を混合した場合に発色がよいのである。赤色１０６号、青色２号、黄色５号などの食用色素を添加することも可能である。乳化物もしくは潤滑剤に蛍光剤を添加することも可能である。
【００２３】
乳化物もしくは潤滑剤には、香料を添加することも可能であり、フトモモ科オオフトモモ属、パンジロウ属、ユーカリ属、ネズモドキ属、もしくはカユプテ属の植物由来の精油成分であるティーツリーオイルを用いることもできるものである。さらに、前記ティーツリーオイル、アニス油、オレンジ油、クローブ油、シトロネラ油、ジャスミン油、ショウノウ油、スペアミント油、ゼラニウム油、テレピン油、ビャクダン油、ペパーミント油、ベルガモット油、ボアドローズ油、ユーカリ油、ラベンダー油、レモングラス油、レモン油、ローズ油、ムスク、シベット、カストル、アンバーグリス、アネトール、オイゲノール、ゲラニオール、シトロネオール、ハッカ油のうち一種または二種以上を添加することができる。
コンドームに使用する潤滑剤にハッカ油を添加することにより、コンドームに清潔感を与えることができる。また、ローズ油を添加することにより、性交時の感情の高揚を助長することができる。
ティーツリーオイルは殺菌効果を有すると共に、皮膚に対しての刺激性がなく、陰部に塗布した場合においても、皮膚に影響を与えないことが知られているものである。
【００２４】
次に、ゲルを構成する増粘剤もしくはゲル化剤について説明する。
ゲルを構成する物質としては、天然系増粘多糖類、天然系増粘たんぱく質等を用いることができる。
ゲルとしては、３０℃〜３７℃の範囲に、融解温度域を有する物を利用することができる。前述のごとく、高分子物質により構成されるものは、鋭い融点をもたず、一定の温度範囲にわたって融解するものである。そして、温度の上昇に伴い粘度が低下するものであり、温度の上昇によりゴム状から粘い液体、流れやすい液体に変化するものである。
ゲルは室温において、乳化物を保持可能な状態であればよく、体温により暖められることにより、融解もしくは粘度低下するものを選択することができるものである。ここにおいて、乳化物を保持するものとして、ゲル以外に上記の性質を示す高分子溶液を用い、体温付近において流れやすい液体となるものを用いることができるものである。
そして、崩壊するゲルとしては、強度的に一般的な寒天と同様な性質を示すものを用いることができるものである。
【００２５】
乳化物の保持するものとしては、例えば、ゼラチンを用いたゲルもしくは溶液を用いることが可能である。
【００２６】
特に、ゼラチンを用いたゲルは軟らかい弾力性と粘りがあり、口内温度で溶ける性質をもつものである。ゼラチンを用いたものは、肌触りもよく、本発明の潤滑剤を構成するものとして適しており、ゼラチンにより構成されるゲル中に乳化物を分散させることにより、ゲルが体温により溶解し、乳化物が皮膚に作用するものである。
同様に、カラギーナンを用いたゲルを使用することもできるものである。また、寒天を用いることにより、崩壊し易いゲルを構成することが可能である。
上記のゲルまたは高分子溶液の選択は、乳化物の性状を調節することにより、さらに広めることができるものである。乳化物に多糖類などを添加し、粘度もしくは浸透圧を調節し、乳化物のゲルもしくは高分子溶液中における安定性を向上することができる。乳化物に白糖を加え粘度もしくは浸透圧、あるいは表面張力を調節する場合には、乳化物が人体に影響を与えることが無く、容易に乳化物の調整を行えるものである。
【００２７】
潤滑剤をコンドームに塗布する構成について図を用いて説明する。
図２は巻き上げ状態のコンドームの側面断面図である。
コンドームに潤滑剤を塗布する方法としては、コンドームの潤滑剤中への浸漬や、ノズル等よりコンドームに潤滑剤を射出する方法がある。
【００２８】
潤滑剤中にコンドームを浸漬する場合には、コンドームを巻き上げた状態で行うものである。コンドームは胴部、先端部および精液溜により構成されている。
胴部は筒状に構成されており、陰茎根を被装するものである。先端部は半球状に構成されており、陰茎の亀頭部を被装するものである。そして、精液溜は嚢状に構成され、先端部に設けられており、コンドームの外側に突出した構成になっている。
コンドームは、巻き上げられた状態において、図２に示すごとく、胴部２および先端部３の一部が巻き上げられるものである。そして、この巻き上げられた状態で、コンドーム１が潤滑剤中に浸漬されるものである。
【００２９】
これにより、潤滑剤５が精液溜４内に塗布されるとともに、先端部３の表裏に塗布される。しかし、コンドーム１の胴部２は巻き上げられた状態にあるので、潤滑剤が多量に付着することがない。特に、コンドーム１の後部９は、巻き上げられた状態において、内側に位置するので、潤滑剤が過剰に付着しない構成となっている。
コンドーム１の精液溜４内に潤滑剤５が塗布されるため、コンドーム１を装着する際に、精液溜４を押しつぶすことにより余剰した潤滑剤が空気とともに精液溜４内より排出される。これにより、精液溜４の空気抜きを容易に行うことができる。また、コンドーム１の先端部３にも潤滑剤５が塗布されるため、コンドームの装着および女性性器への陰茎の挿入を円滑に行うことができる。コンドーム１の胴部２への潤滑剤の塗布量を少なくできるので、陰茎根とコンドーム１の間における潤滑剤の介在を防ぐことができる。これにより、コンドーム１の陰茎よりの脱落を防止することができる。
さらに、精液溜４に潤滑剤５を射出する場合には、該精液溜４を収縮した状態に保ち、精液溜４への空気の侵入を防ぐこともできるものである。この際に、精液溜４の内側面同士が潤滑剤５により貼着された状態となるものであり、これにより、精液溜４へ空気が入りにくくなるものである。
【００３０】
図３はコンドームの側面一部切欠図、図４は先端部の側面一部切欠図である。
図３および図４において示すごとく、潤滑剤５はコンドーム先端部３の内側面６および外側面７の全域に拡散する。そして、乳化物中の油成分による被膜８がコンドーム１を被装するものである。
これにより、コンドームの酸化および粘着を防止し、巻き戻しを容易に行うことができるものである。しかし、潤滑剤５（水溶性物質を包含したミセル）はコンドーム１の先端部３もしくは精液溜４に残留し、陰茎挿入時の潤滑を確保できるものである。
なお、油成分としては、従来コンドームの保護に用いられているシリコーンオイル使用することができる。シリコーンオイルにより、従来の酸化防止効果および粘着防止効果を維持しながら、身体から取り除きやすい潤滑剤を構成することができる。
【００３１】
次に、潤滑剤とシリコーンオイルを混和させたものをコンドームに用いることも可能である。
図５は、シリコーンオイル中の潤滑剤の状態を示す模式図である。
潤滑剤とシリコーンオイルを混和することにより、図５に示すごとく、シリコーンオイル８中に潤滑剤が分散した状態となるものである。この場合ゲル１１中に乳化物１２が保持される。ゲル１２が流動性の低い状態にあることにより、乳化物１２がゲル１１内に保持されるものである。
潤滑剤とシリコーンオイルを混和したものを、コンドーム１に塗布することにより、潤滑剤は塗布位置に残るが、余剰したシリコーンオイル８がコンドーム１の全体に皮膜を形成して、該コンドーム１を保護するものである。コンドームが巻き上げられた状態においても、シリコーンオイルはコンドーム全体に広がり、該コンドームに皮膜を形成するものである。
【００３２】
潤滑剤とシリコーンオイルを混ぜる方法としては、潤滑剤をシリコーンオイルに加え、ミキサーにより混和する。この過程で潤滑剤がシリコーンオイルに被覆される。潤滑剤においては、乳化物がゲルに被覆された状態にあり、ゲルがシリコーンオイルに被覆される状態にある。このため、潤滑剤とシリコーンオイルの効果がそれぞれ維持されるものである。
【００３３】
次に、図６を用いて、潤滑剤の構成方法について説明する。
図６は、潤滑剤の調製構成を示す模式図である。
まず、混合槽２１において、水および界面活性剤が混合される。この際に、水溶液の性状を調節すべく、グリセリンおよび糖を加えることも可能である。
混合槽２２においては、油（シリコーンオイル等）が溜められており、混合槽２１において調製された水溶液と油が混合槽２３に導入され、乳化がおこなわれるものである。
【００３４】
混合槽２４においては、ゲル化剤（ゼラチン等）に水が加えられ、ゲルが調製されるものである。この際に、ゲルの性状を調節すべく、グリセリンおよび糖を加えることも可能である。
混合槽２３において調製された乳化物とゲルは、混合槽２５に導入され、混合されるものである。
これにより、ゲル内に乳化物が保持された潤滑剤を構成するものである。
乳化物とゲルの混合比としては、ゲルにより乳化物を包むことができれば良いものである。すなわち、ゲルは乳化物を保持させるべく混合するものであり、乳化物に含まれる薬剤の有効濃度範囲を維持する範囲であればよい。この際には、融解時のゲルの性状も考慮するものである。一般的なゲルを用いる場合には、乳化物をほぼ同量のゲルと混合することにより、潤滑剤を得ることができる。
【００３５】
【実施例】
本発明者は数多くの知見に基づいて実験を重ねた結果、コンドームの巻き上げ部への浸入性に優れ、かつ、コンドームを白化させない潤滑剤を、以下に記載のような条件のもとで、適宜混合あるいは溶解して使用することにより、コンドームの巻き上げ部への浸入性、湿潤性およびぬめり性に優れた複数のコンドーム用潤滑剤が得られることを確認した。
乳化物を構成する油成分としてシリコーンオイル、界面活性剤としてメンフェゴール、そして精製水を用い、このほかに少量の防腐剤、ｐＨ調整剤もしくは増粘剤等の添加剤を加えるものである。
なお、上記の調製過程において、潤滑剤の性状を整えるべく、一定の界面活性剤、糖などの添加剤を加えるものである。
【００３６】
まず、シリコーンオイル、水、界面活性剤を攪拌機により攪拌して乳化物とするものである。
ここにおいて、シリコーンオイルが１〜５重量部、メンフェゴールが１〜５部重量部であり、これに適量の精製水が加えられるものである。そして、ミキサーもしくはホモジナイザーにより乳化されるものである。
得られた乳化物の性状は、クリーム状であり、水に溶ける速度が速く、ソフトな感触を有しており、人体に付着した際にも、違和感がなく容易に除去できるものであった。
さらに、上記の潤滑剤に、防腐剤、ｐＨ調整剤、香料を添加することも可能である。ｐＨ調整剤や界面活性剤の種類により、潤滑剤を弱酸性とし、皮膚への影響をさらに抑制することも可能である。また、酸性にすることにより、膣内の自浄作用を活性化する。
【００３７】
シリコーンオイル含有量は０．３〜１５重量部、メンフェゴール含有量が０．０１〜１５重量部である範囲において上記の性状に近い潤滑剤を得ることができるものである。また、メンフェゴール含有量は、グリセリン、ノノキシノール、アルキルポリオキシエチレンエーテルなどの他の界面活性剤を混合して、減量することも可能である。
【００３８】
上記の操作により得られた乳化物とゲルを混合する。
ゲルとして、本実施例において、ゼラチン、水、そして砂糖およびグリセリン等により構成されたゲルを用いるものである。ここにおいて、ゼラチンは、０．２〜５重量部である。なお、ゼラチンは０．２〜１２重量部の範囲において、含有量を調節することが可能である。
【００３９】
これにより、シリコーンオイルが１〜５部、界面活性剤が１〜５部、ゼラチンが０．２〜５部である潤滑剤を構成するものである。
構成された潤滑剤において、乳化物はゲル中に保持されているものである。そして、潤滑剤を人間の体温付近まで暖めると、ゲルが溶解し、乳化物がゲルのそとに広がるものである。
潤滑剤は、シリコーンオイルが０．３〜１５部重量、界面活性剤が０．０１〜１５部重量、ゼラチンが０．２〜１２部重量である範囲において、近似した性質のものを得ることができるものである。
【００４０】
上記実施例の潤滑剤をコンドームに使用する場合には、コンドームの内側には上記実施例の潤滑剤を、外側にはシリコーンオイルを付着させるものである。
このように構成されたコンドームは、長期保存が可能であり、装着に違和感がなく、取り外した後にも陰茎に付着する潤滑剤を水洗いで容易に洗い流すことができる。コンドーム内で射精が行われた場合にも、潤滑剤のゲルが体温により溶融しており、潤滑剤と精子が混ざりやすく、潤滑剤に含まれる界面活性剤により迅速に精子の機能が停止させられる。これにより、避妊の効果も向上できるものである。
【００４１】
【発明の効果】
上記発明の実施の形態および実施例において詳細に説明したように、皮膚に対して安全であり、水に溶ける速度が速く、感触がソフトであり、皮膚に付着した際に違和感を与えず、皮膚から容易にふき取ることのできる潤滑剤を構成することができる。
【００４２】
また、潤滑剤をコンドームに使用することにより、コンドームの潤滑性および保湿性、手触り感を向上でき、コンドームの白化を防止できる。
コンドームの巻き上げ部への浸入性に優れた浸入剤として、使用時にぬめり感を付与するぬめり剤として潤滑剤を用いることができる。身体に付着しても簡単に水で洗い落とすことができる。
【００４３】
ゲル中に潤滑効果をもたらす乳化物を保持するので、長期間にわたり性状を一定に保つことができる。さらに、乳化物が不安定である場合においても、該乳化物がゲルにより保持されるので、品質を維持できるものである。
さらに、ゲルが体温により溶融もしくはコンドーム装着時あるいは性行為時のピストン運動により崩壊するので、潤滑剤によりコンドームの装着まで、コンドーム内への空気の混入を防ぐことができる。そして、コンドームの装着により、溶融もしくは崩壊するので、違和感無くコンドームを装着することができるものである。
乳化物中に殺精子剤を含めることにより、殺精子剤をコンドームの装着時に作用させることができ、避妊の確率を向上できるものである。
【図面の簡単な説明】
【図１】  ゲルより乳化物の流出する構成を示す模式図。
【図２】  巻き上げ状態のコンドームの側面断面図。
【図３】  コンドームの側面一部切欠図。
【図４】  先端部の側面一部切欠図。
【図５】  シリコーンオイル中の潤滑剤の状態を示す模式図。
【図６】  潤滑剤の調製構成を示す模式図。
【符号の説明】
１  コンドーム
２  胴部
３  先端部
４  精液溜
５  潤滑剤
６  内側面
７  外側面
８  シリコーンオイル被膜
９  後部
１１  ゲル
１２  乳化物
【図１】
0003930240.tif 000002
【図２】
0003930240.tif 000003
【図３】
0003930240.tif 000004
【図４】
0003930240.tif 000005
【図５】
0003930240.tif 000006
【図６】
0003930240.tif 000007